(57)【要約】  照明光学系の倍率色収差をより簡便に較正することが可能な走査型観察装置を提供する。  アクチュエータ２５により照明光を偏向して照明光学系２６を経て被照射物３２を走査し、被照射物３２からの光を光検出部４４で光電変換して画像処理部４６で処理して表示部６０に被照射物３２の画像を表示する走査型観察装置１０において、複数の所定の色光に対する照明光学系２６の倍率色収差に関する光学特性情報を格納する記憶部３５と、光学特性情報に基づいて色光毎の被照射物３２上での走査軌跡を演算する走査軌跡演算部４５と、を備え、画像処理部４６は、走査軌跡に基づいて色光毎に光検出部４４からの光電変換信号による描画位置を較正して被照射物３２の画像を生成する。
2016151627.tif 000002
【特許請求の範囲】
【請求項１】
アクチュエータにより照明光を偏向して照明光学系を経て被照射物を走査し、前記被照射物からの光を光検出部で光電変換して画像処理部で処理して表示部に前記被照射物の画像を表示する走査型観察装置において、
複数の所定の色光に対する前記照明光学系の倍率色収差に関する光学特性情報を格納する記憶部と、
前記光学特性情報に基づいて前記色光毎の前記被照射物上での走査軌跡を演算する走査軌跡演算部と、を備え、
前記画像処理部は、前記走査軌跡に基づいて前記色光毎に前記光検出部からの光電変換信号による描画位置を較正して前記被照射物の画像を生成する、
ことを特徴とする走査型観察装置。
【請求項２】
請求項１に記載の走査型観察装置において、
前記記憶部は、前記光学特性情報として、前記照明光学系の光軸に対する前記照明光の偏向量ｈと前記色光毎の走査角度θλとの関係を表す３次以上の多項式もしくは三角関数又はそれらの展開式もしくは変換式で表される情報を格納し、
前記走査軌跡演算部は、前記光学特性情報に基づいて、前記照明光学系から前記被照射物までの距離をｚとするとき、前記走査軌跡となる照射位置ｈ´を、ｈ´＝ｚ・ｔａｎθλから前記色光毎に演算する、
ことを特徴とする走査型観察装置。
【請求項３】
請求項２に記載の走査型観察装置において、
前記記憶部は、前記光学特性情報として、ｈ＝ａ4θλ4＋ａ3θλ3＋ａ2θλ2＋ａ1θλ＋ａ0（ただし、ａ4、ａ3、ａ2、ａ1、ａ0は係数）、又は、θλ＝ｂ4ｈ4＋ｂ3ｈ3＋ｂ2ｈ2＋ｂ1ｈ＋ｂ0（ただし、ｂ4、ｂ3、ｂ2、ｂ1、ｂ0は係数）、で表される情報を格納する、
ことを特徴とする走査型観察装置。
【請求項４】
請求項２に記載の走査型観察装置において、
前記記憶部は、前記光学特性情報として、前記照明光学系の焦点距離をｆとするとき、ｈ＝ｆ・ｓｉｎθλ、で表される情報を格納する、
ことを特徴とする走査型観察装置。
【請求項５】
請求項４に記載の走査型観察装置において、
前記焦点距離ｆは実測値である、
ことを特徴とする走査型観察装置。
【請求項６】
請求項１〜５のいずれかに記載の走査型観察装置において、
前記被照射部は、前記照明光学系の光軸を中心として螺旋状に走査され、
前記画像処理部は、前記被照射物の画像の最外側領域に対して、他の領域とは異なる画像処理を実行する、
ことを特徴とする走査型観察装置。
【請求項７】
請求項１〜６のいずれかに記載の走査型観察装置において、
前記照明光を導光する光ファイバを備え、
前記アクチュエータは前記光ファイバの射出端部を変位させて該光ファイバから射出される前記照明光を偏向する、
ことを特徴とする走査型観察装置。
【請求項８】
アクチュエータにより照明光を偏向して照明光学系を経て被照射物を走査し、前記被照射物からの光を光検出部で光電変換して画像処理部で処理して表示部に前記被照射物の画像を表示する走査型観察装置の画像表示方法において、
前記被照射物上での走査軌跡を、記憶部に格納された複数の所定の色光に対する前記照明光学系の倍率色収差に関する光学特性情報に基づいて、走査軌跡演算部により前記色光毎に演算するステップと、
前記走査軌跡に基づいて、前記画像処理部により前記色光毎に前記光検出部からの光電変換信号による描画位置を較正して前記被照射物の画像を生成するステップと、
を含むことを特徴とする走査型観察装置の画像表示方法。
【発明の詳細な説明】
【技術分野】
【０００１】
本発明は、走査型観察装置及び走査型観察装置の画像表示方法に関するものである。
【背景技術】
【０００２】
走査型観察装置として、例えば、スコープ内に延在させた光ファイバの射出端部をアクチュエータにより変位させて光ファイバからの照明光を偏向しながら、照明光学系を経て照明光を被検部位に照射して被検部位を走査し、該被検部位での反射光を検出して画像を表示する走査型内視鏡装置が知られている（例えば、特許文献１参照）。【０００３】
上記の走査型内視鏡装置では、位置検出素子（PSD: Position Sensitive Detector）等の座標情報取得機能を備えた光照射座標検出モジュールを用いて所定の色光の走査軌跡の座標情報を取得するとともに、当該所定の色光を基準とする他の色光の像高と収差量との対応関係を示す光学特性情報を予め記憶部に格納している。そして、座標情報に基づいて所定の像高に相当する被検部位の位置に所定の色光が照射されたことを検出した際に、光学特性情報に基づいて所定の像高における他の色光の収差量を検出して、他の色光の反射光に応じて生成される画像の倍率色収差を補正する画像補正情報を取得し、その画像補正情報に基づいて画像補正処理を施して被検部位の画像を表示するようにしている。
【先行技術文献】
【特許文献】
【０００４】
【特許文献１】特許第５４９０３３１号公報
【発明の概要】
【発明が解決しようとする課題】
【０００５】
特許文献１に開示の走査型内視鏡装置によると、照明光として用いられる所定の色光を基準として他の色光の倍率色収差を補正する画像補正情報を取得するので、照明光学系の倍率色収差を比較的簡易に較正することが可能となる。【０００６】
しかしながら、上記の走査型内視鏡装置では、PSD等の光照射座標検出モジュールを用いて走査軌跡の座標情報を取得することから、手間がかかることが懸念される。このような走査型内視鏡装置における課題は、例えばレーザ光を偏向して対物レンズを経て試料を走査するレーザ走査型顕微鏡等にも同様に生じるものである。【０００７】
したがって、かかる事情に鑑みてなされた本発明の目的は、照明光学系の倍率色収差をより簡便に較正することが可能な走査型観察装置及び走査型観察装置の画像表示方法を提供することにある。
【課題を解決するための手段】
【０００８】
上記目的を達成する本発明に係る走査型観察装置の一態様は、
アクチュエータにより照明光を偏向して照明光学系を経て被照射物を走査し、前記被照射物からの光を光検出部で光電変換して画像処理部で処理して表示部に前記被照射物の画像を表示する走査型観察装置において、
複数の所定の色光に対する前記照明光学系の倍率色収差に関する光学特性情報を格納する記憶部と、
前記光学特性情報に基づいて前記色光毎の前記被照射物上での走査軌跡を演算する走査軌跡演算部と、を備え、
前記画像処理部は、前記走査軌跡に基づいて前記色光毎に前記光検出部からの光電変換信号による描画位置を較正して前記被照射物の画像を生成する、
ことを特徴とするものである。【０００９】
前記記憶部は、前記光学特性情報として、前記照明光学系の光軸に対する前記照明光の偏向量ｈと前記色光毎の走査角度θλとの関係を表す３次以上の多項式もしくは三角関数又はそれらの展開式もしくは変換式で表される情報を格納し、
前記走査軌跡演算部は、前記光学特性情報に基づいて、前記照明光学系から前記被照射物までの距離をｚとするとき、前記走査軌跡となる照射位置ｈ´を、ｈ´＝ｚ・ｔａｎθλから前記色光毎に演算するとよい。【００１０】
前記記憶部は、前記光学特性情報として、ｈ＝ａ4θλ4＋ａ3θλ3＋ａ2θλ2＋ａ1θλ＋ａ0（ただし、ａ4、ａ3、ａ2、ａ1、ａ0は係数）、又は、θλ＝ｂ4ｈ4＋ｂ3ｈ3＋ｂ2ｈ2＋ｂ1ｈ＋ｂ0（ただし、ｂ4、ｂ3、ｂ2、ｂ1、ｂ0は係数）、で表される情報を格納するとよい。【００１１】
前記記憶部は、前記光学特性情報として、前記照明光学系の焦点距離をｆとするとき、ｈ＝ｆ・ｓｉｎθλ、で表される情報を格納してもよい。【００１２】
前記焦点距離ｆは実測値とするとよい。【００１３】
前記被照射部は、前記照明光学系の光軸を中心として螺旋状に走査され、
前記画像処理部は、前記被照射物の画像の最外側領域に対して、他の領域とは異なる画像処理を実行してもよい。【００１４】
前記照明光を導光する光ファイバを備え、
前記アクチュエータは前記光ファイバの射出端部を変位させて該光ファイバから射出される前記照明光を偏向してもよい。【００１５】
さらに、上記目的を達成する本発明に係る走査型観察装置の画像表示方法の一態様は、アクチュエータにより照明光を偏向して照明光学系を経て被照射物を走査し、前記被照射物からの光を光検出部で光電変換して画像処理部で処理して表示部に前記被照射物の画像を表示する走査型観察装置の画像表示方法において、
前記被照射物上での走査軌跡を、記憶部に格納された複数の所定の色光に対する前記照明光学系の倍率色収差に関する光学特性情報に基づいて、走査軌跡演算部により前記色光毎に演算するステップと、
前記走査軌跡に基づいて、前記画像処理部により前記色光毎に前記光検出部からの光電変換信号による描画位置を較正して前記被照射物の画像を生成するステップと、
を含むことを特徴とするものである。
【発明の効果】
【００１６】
本発明によれば、照明光学系の倍率色収差をより簡便に較正することが可能となる。
【図面の簡単な説明】
【００１７】
【図１】一実施の形態に係る走査型内視鏡装置の要部の概略構成を示すブロック図である。
【図２】図１のスコープを概略的に示す概観図である。
【図３】図２のスコープの先端部を拡大して示す断面図である。
【図４】照明光学系の倍率色収差を説明する模式図である。
【図５】照明光学系の倍率色収差の一例を示す図である。
【図６】主光線追跡による照明光学系の倍率色収差を説明するための図である。
【図７】図１の走査型内視鏡装置による画像表示方法の要部の処理を示すフローチャートである。
【発明を実施するための形態】
【００１８】
以下、本発明の実施の形態について、図を参照して説明する。
【００１９】
図１は、一実施の形態に係る走査型内視鏡装置の要部の概略構成を示すブロック図である。本実施の形態に係る走査型内視鏡装置１０は、スコープ（内視鏡）２０と、装置本体４０と、表示部６０と、を備える。
【００２０】
スコープ２０は、コネクタ等を介して装置本体４０に着脱自在に接続される。スコープ２０は、図２に概略外観図を示すように、操作部２１及び挿入部２２を備える。スコープ２０の内部には、装置本体４０に結合される基端部から挿入部２２の先端部２２ａ（図２に破線で示す部分）まで延在して照明用光ファイバ２３及び検出用ファイババンドル２４が配設されている。照明用光ファイバ２３は、スコープ２０の装置本体４０への接続状態において、装置本体４０からの照明光が入射可能となる。挿入部２２は、先端部２２ａを除く部分が屈曲可能な可撓部２２ｂとなっており、先端部２２ａは屈曲しない硬質部となっている。
【００２１】
スコープ２０の先端部２２ａには、図３に部分拡大断面図を示すように、アクチュエータ２５及び照明光学系２６が実装されている。アクチュエータ２５は、照明用光ファイバ２３の射出端部２３ａを貫通させて保持するフェルール２７を備える。照明用光ファイバ２３は、フェルール２７に接着固定される。フェルール２７は、照明用光ファイバ２３の射出端面２３ｂとは反対側の端部が支持部２８に結合されて、支持部２８に揺動可能に片持ち支持される。照明用光ファイバ２３は、支持部２８を貫通して延在される。
【００２２】
フェルール２７は、例えばニッケル等の金属からなる。フェルール２７は、外形が四角柱状、円柱状等の任意の形状に形成可能である。フェルール２７には、照明用光ファイバ２３の光軸方向と平行な方向をｚ方向とするとき、ｚ方向と直交する面内で互いに直交するｘ方向及びｙ方向にそれぞれ対向して圧電素子３０ｘ及び３０ｙが装着される。図３では、圧電素子３０ｘについては１個のみを示している。圧電素子３０ｘ及び３０ｙは、ｚ方向に長い矩形状からなる。圧電素子３０ｘ及び３０ｙは、厚さ方向の両面に形成された電極を有し、対向する電極を介して厚さ方向に電圧が印加されるとｚ方向に伸縮可能に構成される。
【００２３】
圧電素子３０ｘ及び３０ｙのフェルール２７に接着される電極面とは反対側の電極面には、それぞれ対応する配線ケーブル３１が接続される。同様に、圧電素子３０ｘ及び３０ｙの共通電極となるフェルール２７には、対応する配線ケーブル３１が接続される。ｘ方向の２個の圧電素子３０ｘには、装置本体４０から対応する配線ケーブル３１を介して同相の交流電圧が印加される。同様に、ｙ方向に対向する２個の圧電素子３０ｙには、装置本体４０から対応する配線ケーブル３１を介して同相の交流電圧が印加される。
【００２４】
これにより、２個の圧電素子３０ｘは、一方が伸張すると他方が縮小して、フェルール２７がｘ方向に湾曲振動する。同様に、２個の圧電素子３０ｙは、一方が伸張すると他方が縮小して、フェルール２７がｙ方向に湾曲振動する。その結果、フェルール２７は、ｘ方向及びｙ方向の振動が合成されて照明用光ファイバ２３の射出端部２３ａと一体に偏向される。したがって、装置本体４０から照明用光ファイバ２３に照明光を入射させると、射出端面２３ｂから射出される照明光により被観察物（被照射物）３２を２次元的に走査することが可能となる。
【００２５】
検出用ファイババンドル２４は、挿入部２２の外周部を通って配置される。検出用ファイババンドル２４の各ファイバの先端部２４ａには、図示しないが検出用レンズが配置されていても良い。検出用ファイババンドル２４は、スコープ２０の装置本体４０への接続状態において、被観察物３２上に照射された照明光が、被観察物３２により反射、散乱、屈折等をした光（被観察物３２と相互作用した光）又は照明光の照射によって発生する蛍光等を信号光として取り込んで装置本体４０に導光する。
【００２６】
照明光学系２６は、図３では２枚の投影用レンズ２６ａ、２６ｂで構成されている場合を例示している。投影用レンズ２６ａ、２６ｂは、照明用光ファイバ２３の射出端面２３ｂから射出される照明光を所定の焦点位置に集光させるように構成される。なお、照明光学系２６は２枚の投影用レンズ２６ａ、２６ｂに限られず、１枚や３枚以上のレンズにより構成されてもよい。
【００２７】
本実施の形態において、スコープ２０は、図１に示すように、記憶部３５をさらに備える。記憶部３５には、例えば赤色（Ｒ）、緑色（Ｇ）及び青色（Ｂ）の複数の所定の色光に対する照明光学系２６の倍率色収差に関する光学特性情報が格納される。光学特性情報としては、例えば照明光学系２６の光軸に対する照明光の偏向量（像高）ｈと色光毎の走査角度θλとの関係を表す３次以上の多項式もしくは三角関数又はそれらの展開式もしくは変換式で表される情報が格納される。記憶部３５に格納された光学特性情報は、スコープ２０の装置本体４０への接続状態において、装置本体４０により読み取られる。
【００２８】
一方、図１において、装置本体４０は、走査型内視鏡装置１０の全体を制御する制御部４１と、光源部４２と、駆動制御部４３と、光検出部４４と、走査軌跡演算部４５と、画像処理部４６と、記憶部４７と、を備える。
【００２９】
光源部４２は、レーザ５１Ｒ、５１Ｇ、５１Ｂと、結合器５２と、を有する。レーザ５１Ｒ、５１Ｇ、５１Ｂは、制御部４１により制御されて、レーザ５１Ｒが赤色のレーザ光を、レーザ５１Ｇが緑色のレーザ光を、レーザ５１Ｂが青色のレーザ光をそれぞれ射出する。レーザ５１Ｒ、５１Ｇ、５１Ｂとしては、例えばＤＰＳＳレーザ（半導体励起固体レーザ）やレーザダイオードが使用可能である。ここで各色光の波長は、例えば青色は４４０ｎｍから４６０ｎｍ、緑色は５１５ｎｍから５３２ｎｍ、赤色は６３５ｎｍから６３８ｎｍである。レーザ５１Ｒ、５１Ｇ、５１Ｂから出射されるレーザ光は、結合器５２で同軸上に合波されて、スコープ２０の照明用光ファイバ２３に入射される。なお、光源部４２は、他の複数の光源を用いるものであっても良い。また、光源部４２は、装置本体４０とは別の筐体に収納されて、装置本体４０と信号線で接続されていても良い。この場合、スコープ２０の照明用光ファイバ２３は、光源部４２を有する筐体に着脱自在に接続される。
【００３０】
駆動制御部４３は、配線ケーブル３１を介してスコープ２０のアクチュエータ２５に所要の駆動信号を供給して、照明用光ファイバ２３の射出端部を振動駆動させる。例えば、駆動制御部４３は、アクチュエータ２５の圧電素子３０ｘ及び３０ｙに、照明用光ファイバ２３の射出端部２３ａを含む被振動部の共振周波数又はその近傍の周波数で、位相がほぼ９０°異なり、振幅が徐々に増大して減少する駆動信号を繰り返し供給する。これにより、照明用光ファイバ２３の射出端面２３ｂは、照明光学系２６の光軸を中心として螺旋状に変位されて、射出端面２３ｂから射出される照明光により被観察物３２が螺旋状に走査される。
【００３１】
光検出部４４は、分光器５５と、光検出器（ＰＤ）５６Ｒ、５６Ｇ、５６Ｂと、ＡＤＣ（アナログ−デジタル変換器）５７Ｒ、５７Ｇ、５７Ｂとを備える。分光器５５は、スコープ２０の装置本体４０への接続状態において、スコープ２０の検出用ファイババンドル２４と結合されて、検出用ファイババンドル２４により導光される信号光を例えばＲ、Ｇ、Ｂの各色に分光する。光検出器５６Ｒ、５６Ｇ、５６Ｂは、分光器５５で分光された対応する色の光を受光して光電変換する。ＡＤＣ５７Ｒ、５７Ｇ、５７Ｂは、対応する光検出器５６Ｒ、５６Ｇ、５６Ｂから出力されるアナログの画素信号をそれぞれデジタルの画素信号に変換して画像処理部４６に出力する。
【００３２】
走査軌跡演算部４５は、スコープ２０の装置本体４０への接続状態において、記憶部３５に格納された照明光学系２６の光学特性情報を読み取る。そして、走査軌跡演算部４５は、記憶部３５から読み取った光学特性情報と、アクチュエータ２５を駆動する駆動信号の振幅及び位相等の駆動信号情報とに基づいて、Ｒ、Ｇ、Ｂの色光毎の被観察物３２での走査軌跡（座標）を演算する。なお、駆動信号情報は、例えば制御部４１又は駆動制御部４３から取得する。なお、図１では、制御部４１から駆動信号情報を取得する場合を例示している。走査軌跡演算部４５で演算された色光毎の走査軌跡は、画像処理部４６に供給される。
【００３３】
画像処理部４６は、ＡＤＣ５７Ｒ、５７Ｇ、５７Ｂから得られる各色の画素信号を、走査軌跡演算部４５で演算されたＲ、Ｇ、Ｂの色光毎の走査軌跡に基づいて、例えばフレームメモリの対応する描画位置に格納する。そして、画像処理部４６は、各フレームの走査終了後又は走査中に補間処理等の必要な画像処理を行って被観察物３２の順次のフレームの画像を生成して表示部６０に表示する。
【００３４】
記憶部４７は、装置本体４０制御プログラム等を格納する。また、制御部４７は、走査軌跡演算部４５や画像処理部４６のワークメモリとして機能してもよい。
【００３５】
次に、スコープ２０の記憶部３５に格納される照明光学系２６の倍率色収差に関する光学特性情報について説明する。
【００３６】
図４に模式的に示すように、照明用光ファイバ２３の射出端部２３ａを変位させて、照明光を照明光学系２６の光軸から偏向させて照明光学系２６に入射させると、照明光学系２６を経た照明光は、照明光学系２６の倍率色収差により、色光毎に被観察物３２の異なる位置に照射される。例えば、Ｒ、Ｇ、Ｂの波長の照明光を照明光学系２６に入射させると、入射光の光軸からの偏向量（ファイバ振幅）をｈ、照明光学系２６を経たＲ、Ｇ、Ｂの各色光の光軸と成す角度（走査角度）をθλ（λ：Ｒ、Ｇ、Ｂ）とするとき、各色光の走査角度θλは、ファイバ振幅ｈの増加に従って、例えば図５に示すように変化する。すなわち、倍率色収差がない理想的な場合は、各色光の走査角度θλは、特性Ｌ１で示すように、ファイバ振幅ｈの増加に従って同じ角度で直線状に増加する。これに対し、倍率色収差があると、各色光の走査角度θλは、特性ＣR、ＣG、ＣBでそれぞれ示すように、ファイバ振幅ｈの増加に従って異なる角度で曲線状に増加する。
【００３７】
照明光学系２６が図５に示したような倍率色収差を有する場合、特性ＣR、ＣG、ＣBは、ファイバ振幅ｈと走査角度θλとを用いて、例えば、ｈ＝ａ4θλ4＋ａ3θλ3＋ａ2θλ2＋ａ1θλ＋ａ0（ただし、ａ4、ａ3、ａ2、ａ1、ａ0は係数）、又は、θλ＝ｂ4ｈ4＋ｂ3ｈ3＋ｂ2ｈ2＋ｂ1ｈ＋ｂ0（ただし、ｂ4、ｂ3、ｂ2、ｂ1、ｂ0は係数）の４次の多項式で表すことができる。
【００３８】
また、照明光学系２６の倍率色収差による各色光の走査角度θλは、主光線追跡では、ファイバ振幅ｈの増加に従って、例えば図６に示すように変化する。すなわち、近軸近似では、特性Ｌ２で示すように、ファイバ振幅ｈの増加に従って走査角度θλは直線状に増加する。これに対し、主光線追跡では、特性ＣRTで示すように、ファイバ振幅ｈの増加に従って走査角度θλは曲線状に増加する。この場合、特性ＣRTは、照明光学系２６の焦点距離をｆとすると、例えば、ｈ＝ｆ・ｓｉｎθλ、の三角関数で表される曲線Ｃhで近似することができる。
【００３９】
したがって、スコープ２０の記憶部３５には、照明光学系２６の倍率色収差に関する光学特性情報として、例えば上記のｈ＝ａ4θλ4＋ａ3θλ3＋ａ2θλ2＋ａ1θλ＋ａ0、もしくは、θλ＝ｂ4ｈ4＋ｂ3ｈ3＋ｂ2ｈ2＋ｂ1ｈ＋ｂ0、又は、ｈ＝ｆ・ｓｉｎθλ、の情報が格納される。なお、ｈ＝ｆ・ｓｉｎθλの情報を記憶部３５に格納する場合、焦点距離ｆは、実測値とするとよい。これにより、照明光学系２６の倍率色収差を、照明光学系２６の個体差等を考慮してより高精度に較正することが可能となる。なお、図４において、照明光学系２６は簡略化して示している。
【００４０】
次に、図１の走査型内視鏡装置１０による画像表示方法について説明する。
【００４１】
図７は、画像表示方法の要部の処理を示すフローチャートである。なお、図７の処理は、制御部４１の制御のもとに実行される。先ず、走査軌跡演算部４５は、アクチュエータ２５の駆動信号情報に基づいて、各フレームの走査期間中の順次の走査点に対応するファイバ振幅ｈを算出する（ステップＳ７０１）。各走査点は、例えばｘ方向駆動信号又はｙ方向駆動信号の振幅がピークとなるタイミングであり、走査点毎にピーク値が異なる。
【００４２】
次に、走査軌跡演算部４５は、スコープ２０の記憶部３５から読み取った光学特性情報と、算出したファイバ振幅ｈとに基づいて、Ｒ、Ｇ、Ｂの色光毎の走査角度θR、θG、θBを算出する（ステップＳ７０２）。その後、走査軌跡演算部４５は、算出した色光毎の走査角度θR、θG、θBに基づいて、被観察物３２上での各色光の走査点（照射位置）の座標（ＸR，ＹR）、（ＸG，ＹG）、（ＸB，ＹB）をそれぞれ算出する（ステップＳ７０３）。
【００４３】
ここで、図４に示すように、照明光学系２６から被観察物３２までの物体距離をｚとし、照明光学系２６の光軸から被観察物３２への各色光の入射位置までの距離をｈλ´（λ：Ｒ、Ｇ、Ｂ）とすると、距離ｈλ´は、ｈλ´＝ｚ・ｔａｎθλ、で表される。走査軌跡演算部４５は、ステップＳ７０３において、距離ｈλ´を算出し、その算出した距離ｈλ´に基づいて色光毎の座標（ＸR，ＹR）、（ＸG，ＹG）、（ＸB，ＹB）を算出する。これにより、走査軌跡演算部４５は、Ｒ、Ｇ、Ｂの色光毎の被観察物３２上での順次の走査点の座標すなわち走査軌跡を演算して画像処理部４６に供給する。なお、物体距離ｚは、スコープ２０の記憶部３５に格納して、光学特性情報とともに読み取ってもよいし、装置本体４０の記憶部４７に格納して読み取るようにしてもよい。
【００４４】
上述の走査軌跡演算部４５による色光毎の走査軌跡の演算処理は、アクチュエータ２５を駆動しながら実行してもよいし、アクチュエータ２５を駆動することなく実行してもよい。また、前者の場合は、被観察物３２に照明光を照射して被観察物３２を実際に走査しながら実行してもよいし、実際の走査に先立って被観察物３２へ照明光を照射することなく実行してもよい。
【００４５】
その後、画像処理部４６は、被観察物３２の走査によりＡＤＣ５７Ｒ、５７Ｇ、５７Ｂから得られる各色の画素信号を、走査軌跡演算部４５で演算されたＲ、Ｇ、Ｂの色光毎の走査軌跡（座標）に基づいて、例えばフレームメモリの対応する描画位置に格納して補間処理等の必要な画像処理を行い被観察物３２の画像を生成する（ステップＳ７０４）。画像処理部４６で生成された被観察物３２の画像は、表示部６０に表示される（ステップＳ７０５）。
【００４６】
ここで、被観察物３２に照射される照明光は、照明光学系２６の倍率色収差によって走査領域の最外周付近がＢ系の照明光のみとなる。そのため、走査領域の最外周付近は、十分な補間処理等を行うことができず、色ずれが生じる場合がある。本実施の形態では、好ましくは、Ｒの照明光による走査領域よりも外側に相当する走査領域、つまり表示部６０に表示する被観察物３２の画像の最外側領域に対しては、他の領域とは異なる画像処理、例えばトリミング、白黒化、擬似カラー化等の処理を実行する。このようにすれば、周辺部を被観察物３２の画像とは異なる画像として明確に認識でき、被観察物３２の画像については色ずれのない画像とすることができ、表示画像全体の品質を向上することが可能となる。
【００４７】
本実施の形態によれば、PSD等の光照射座標検出モジュールを用いることなく、照明光学系２６の倍率色収差を簡便に較正することが可能となる。
【００４８】
なお、本発明は、上記実施の形態に限定されるものではなく、幾多の変形または変更が可能である。例えば、スコープ２０の記憶部３５に格納する照明光学系２６の倍率色収差に関する光学特性情報は、上記の例に限らず、３次以上の多項式もしくは三角関数又はそれらの展開式もしくは変換式で表される情報としてもよい。また、アクチュエータ２５は、圧電式に限らず、コイル及び永久磁石を用いる電磁式やＭＥＭＳミラー等の他の公知の駆動方式でもよい。また、上記実施の形態では、被観察物３２にＲ、Ｇ、Ｂの色光を同時に照射して走査する場合について説明したが、例えば各色光を面順次で照射して面順次で画像を表示したり、一走査のなかで各色光を順次に照射して画像を表示したり、してもよい。
【００４９】
また、スコープ２０の記憶部３５は、当該スコープ２０の照明光学系２６の種類を特定可能なＩＤ情報をスコープ情報として格納し、装置本体４０の記憶部４７は、複数の照明光学系２６の種類に応じた光学特性情報を格納してもよい。この場合、装置本体４０の制御部４１は、接続されたスコープ２０の記憶部３５から照明光学系２６のＩＤ情報を読み取って、記憶部４７から対応する光学特性情報を走査軌跡演算部４５に出力するとよい。また、駆動制御部４３、光検出部４４、走査軌跡演算部４５、画像処理部４６及び記憶部４７の一部又は全部は、制御部４１に含まれてもよい。さらに、本発明は、走査型内視鏡装置に限らず、走査型顕微鏡にも適用することが可能である。
【符号の説明】
【００５０】
１０  走査型内視鏡装置
２０  スコープ
２３  照明用光ファイバ
２３ａ  射出端部
２４  検出用ファイババンドル
２５  アクチュエータ
２６  照明光学系
３０ｘ、３０ｙ  圧電素子
３２  被観察物（被照射物）
３５  記憶部
４０  装置本体
４１  制御部
４２  光源部
４３  駆動制御部
４４  光検出部
４５  走査軌跡演算部
４６  画像処理部
４７  記憶部
６０  表示部
【図１】
2016151627.tif 000003
【図２】
2016151627.tif 000004
【図３】
2016151627.tif 000005
【図４】
2016151627.tif 000006
【図５】
2016151627.tif 000007
【図６】
2016151627.tif 000008
【図７】
2016151627.tif 000009
【国際調査報告】
2016151627.tif 000010
2016151627.tif 000011
2016151627.tif 000012
2016151627.tif 000013